(57)【要約】【課題】自動分析装置とは別体の残量保持手段を設け、自動分析装置の電源入力後等の待機時間に消耗品残量および廃棄物残余量を確認しうる自動分析装置を提供する。【解決手段】消耗品残量情報および廃棄物残余量情報を記憶する残量記憶部４０８と、前記消耗品残量情報および前記廃棄物残余量情報を送受信する送受信部４０６と、最新の前記消耗品残量情報および前記廃棄物残余量情報を受信し、記憶および／または出力して前記消耗品残量情報および前記廃棄物残余量情報を保持しうる残量保持部５００と、送受信部４０６を介した残量保持部５００への前記消耗品残量情報および前記廃棄物残余量情報の送信を制御する送信制御部４０９と、を備え、残量保持部５００は、自動分析装置１と別体とすることにより、自動分析装置１の立ち上げ時やシャットダウン時を含む電源オフ時にも前記消耗品残量情報および前記廃棄物残余量情報を出力しうる。【選択図】        図１
2010151672.tif 000002
【特許請求の範囲】
【請求項１】
試薬と検体とを反応させた反応物を分析する自動分析装置において、
消耗品残量情報および廃棄物残余量情報を記憶する残量記憶手段と、
前記消耗品残量情報および前記廃棄物残余量情報を送受信する送受信手段と、
最新の前記消耗品残量情報および前記廃棄物残余量情報を受信し、記憶および／または出力して前記消耗品残量情報および前記廃棄物残余量情報を保持しうる残量保持手段と、
前記送受信手段を介した前記残量保持手段への前記消耗品残量情報および前記廃棄物残余量情報の送信を制御する送信制御手段と、
を備え、前記残量保持手段は、自動分析装置と別体であって、自動分析装置の立ち上げ時およびシャットダウン時を含む電源オフ時に前記消耗品残量情報および前記廃棄物残余量情報を出力しうることを特徴とする自動分析装置。
【請求項２】
前記送信制御手段は、ユーザにより定められた所定期間および前記自動分析装置のシャットダウン時に、前記送受信手段を介して前記残量保持手段に前記消耗品残量情報および前記廃棄物残余量情報を送信するよう制御することを特徴とする請求項１に記載の自動分析装置。
【請求項３】
前記送信制御手段は、前記消耗品残量情報および前記廃棄物残余量情報に時刻情報を付加することを特徴とする請求項１または２に記載の自動分析装置。
【請求項４】
前記残量保持手段は、印刷紙、ソーラーパネルまたはバッテリー電源を備えるＥＬ素子、電子ペーパー、音声録音であることを特徴とする請求項１〜３のいずれか一つに記載の自動分析装置。
【請求項５】
前記消耗品残量情報は、試薬、ディスポーザブルチップ、ディスポーザブルキュベットまたは洗浄液の残量情報であり、前記廃棄物残余量情報は、チップディスポーザ、キュベットディスポーザまたは廃液タンクの残余量情報であることを特徴とする請求項１〜４のいずれか一つに記載の自動分析装置。
【請求項６】
前記消耗品残量情報は、試薬、ディスポーザブルチップ、ディスポーザブルキュベットまたは洗浄液の残分析回数であり、前記廃棄物残余量情報は、チップディスポーザ、キュベットディスポーザまたは廃液タンク残廃棄回数であることを特徴とする請求項１〜４のいずれか一つに記載の自動分析装置。
【請求項７】
受け付けた検査オーダーを記憶する検査オーダー記憶手段と、
前記検査オーダー記憶手段から分析項目毎に残分析回数を積算し、前記残量記憶手段に記憶された消耗品残分析回数と廃棄物残廃棄回数との差分値を算出する算出手段と、
前記算出手段が算出した差分値に基づき消耗品補充および廃棄物廃棄が必要か否かを判定する判定手段と、
を備え、前記送信制御手段は、前記消耗品残量情報および前記廃棄物残余量情報に前記判定手段が判定した消耗品補充情報および廃棄物廃棄情報を付加することを特徴とする請求項５に記載の自動分析装置。
【請求項８】
過去に分析された分析項目毎の累積分析回数データを記憶するデータ記憶手段と、
前記データ記憶手段に記憶された累積分析回数データから分析項目毎に分析予定数を予測する予測手段と、
を備え、前記算出手段は、前記予測手段が予測した分析予定数と、前記残量記憶手段に記憶された前記消耗品残分析回数と前記廃棄物残廃棄回数との差分値を算出し、前記判定手段は、前記差分値に基づき消耗品補充および廃棄物廃棄が必要か否かを判定することを特徴とする請求項７に記載の自動分析装置。
【請求項９】
前記判定手段は、前記差分値に基づく消耗品補充と廃棄物廃棄の優先順位を判定し、前記送信制御手段は、前記優先順位の順番に並び替えた消耗品残量情報および廃棄物残余量情報を、前記送受信手段を介して送信するよう制御することを特徴とする請求項７または８に記載の自動分析装置。
【発明の詳細な説明】
【技術分野】
【０００１】
本発明は、生化学分析、免疫検査等の分析を自動で行う自動分析装置に関するものである。
【背景技術】
【０００２】
血液または尿等の検体の分析を自動で行う自動分析装置が広く知られている。自動分析装置は、検体供給機構、測定機構、制御機構を有している。検体供給機構は、検体容器を搭載したラックを逐次供給するものである。測定機構は、反応テーブルおよび試薬保冷庫を有している。反応テーブルは、内部にキュベットホイールと測定光学系を備え、試薬保冷庫には、検体と反応する試薬を収容した試薬容器が収納してある。また、キュベットホイールには、キュベット（反応容器）が収容してあり、試薬容器から試薬を分注する一方、試薬容器から検体を分注する。そして、測定光学系を用いてキュベットにおいて反応させた検液（試薬と検体とからなる混合液）を測定する。そして、測定値から制御機構が分析結果を取得する。そして、分析開始から分析終了までの間に試薬などの消耗品が不足した場合には、分析を中断し、試薬容器を交換することにより試薬を補充する必要がある（たとえば、特許文献１参照）。
【０００３】
【特許文献１】特開２００７−３０３８８４号公報
【発明の開示】
【発明が解決しようとする課題】
【０００４】
しかしながら、特許文献１に記載された装置は、試薬容器の交換のタイミングを報知するためユーザは試薬補充の準備を行なうことができ、試薬交換をスムーズに行なうことができるという利点を有するものの、個々の試薬についてその都度補充するため、手間がかかるだけでなく、補充の間、分析装置の運転を中断するため分析効率が低下するという問題があった。
【０００５】
本発明は、上記に鑑みてなされたものであって、自動分析装置とは別体の残量保持手段を設けることにより、自動分析装置の電源入力後等の待機時間を利用して消耗品残量および廃棄物残余量を確認することが可能となり、消耗品の補充および廃棄物の廃棄を効率的に行なうことができる自動分析装置を提供することを目的とする。
【課題を解決するための手段】
【０００６】
上述した課題を解決し、目的を達成するために、本発明の自動分析装置は、試薬と検体とを反応させた反応物を分析する自動分析装置において、消耗品残量情報および廃棄物残余量情報を記憶する残量記憶手段と、前記消耗品残量情報および前記廃棄物残余量情報を送受信する送受信手段と、最新の前記消耗品残量情報および前記廃棄物残余量情報を受信し、記憶および／または出力して前記消耗品残量情報および前記廃棄物残余量情報を保持しうる残量保持手段と、前記送受信手段を介した前記残量保持手段への前記消耗品残量情報および前記廃棄物残余量情報の送信を制御する送信制御手段と、を備え、前記残量保持手段は、自動分析装置と別体であって、自動分析装置の立ち上げ時およびシャットダウン時を含む電源オフ時に前記消耗品残量情報および前記廃棄物残余量情報を出力しうることを特徴とする。
【０００７】
また、本発明の自動分析装置は、上記発明において、前記送信制御手段は、ユーザにより定められた所定期間および前記自動分析装置のシャットダウン時に、前記送受信手段を介して前記残量保持手段に前記消耗品残量情報および前記廃棄物残余量情報を送信するよう制御することを特徴とする。
【０００８】
また、本発明の自動分析装置は、上記発明において、前記送信制御手段は、前記消耗品残量情報および前記廃棄物残余量情報に時刻情報を付加することを特徴とする。
【０００９】
また、本発明の自動分析装置は、上記発明において、前記残量保持手段は、印刷紙、ソーラーパネルまたはバッテリー電源を備えるＥＬ素子、電子ペーパー、音声録音であることを特徴とする。
【００１０】
また、本発明の自動分析装置は、上記発明において、前記消耗品残量情報は、試薬、ディスポーザブルチップ、ディスポーザブルキュベットまたは洗浄液の残量情報であり、前記廃棄物残余量情報は、チップディスポーザ、キュベットディスポーザまたは廃液タンクの残余量情報であることを特徴とする。
【００１１】
また、本発明の自動分析装置は、上記発明において、前記消耗品残量情報は、試薬、ディスポーザブルチップ、ディスポーザブルキュベットまたは洗浄液の残分析回数であり、前記廃棄物残余量情報は、チップディスポーザ、キュベットディスポーザまたは廃液タンクの残廃棄回数であることを特徴とする。
【００１２】
また、本発明の自動分析装置は、上記発明において、受け付けた検査オーダーを記憶する検査オーダー記憶手段と、前記検査オーダー記憶手段から分析項目毎に残分析回数を積算し、前記残量記憶手段に記憶された消耗品残分析回数と廃棄物残廃棄回数との差分値を算出する算出手段と、前記算出手段が算出した差分値に基づき消耗品補充および廃棄物廃棄が必要か否かを判定する判定手段と、を備え、前記送信制御手段は、前記消耗品残量情報および前記廃棄物残余量情報に前記判定手段が判定した消耗品補充情報および廃棄物廃棄情報を付加することを特徴とする。
【００１３】
また、本発明の自動分析装置は、上記発明において、過去に分析された分析項目毎の累積分析回数データを記憶するデータ記憶手段と、前記データ記憶手段に記憶された累積分析回数データから分析項目毎に分析予定数を予測する予測手段と、を備え、前記算出手段は、前記予測手段が予測した分析予定数と、前記残量記憶手段に記憶された前記消耗品残分析回数と前記廃棄物残廃棄回数との差分値を算出し、前記判定手段は、前記差分値に基づき消耗品補充および廃棄物廃棄が必要か否かを判定することを特徴とする。
【００１４】
また、本発明の自動分析装置は、上記発明において、前記判定手段は、前記差分値に基づく消耗品補充と廃棄物廃棄の優先順位を判定し、前記送信制御手段は、前記優先順位の順番に並び替えた消耗品残量情報および廃棄物残余量情報を前記送受信手段を介して送信するよう制御することを特徴とする。
【発明の効果】
【００１５】
本発明にかかる自動分析装置は、自動分析装置とは別体の残量保持手段を設けているので、自動分析装置の電源オフ時であっても消耗品残量および廃棄物残余量を確認することができ、また、自動分析装置の電源入力後、自動分析装置が稼動できるまでの待機時間を利用して、残量保持手段により消耗品残量および廃棄物残余量を確認して消耗品補充および廃棄物廃棄を行なうことが可能となり、分析中に行われる消耗品補充および廃棄物廃棄の回数を低減して分析効率を向上しうるという効果を奏する。
【発明を実施するための最良の形態】
【００１６】
以下、本発明を実施するための最良の形態を図面と共に詳細に説明する。なお、以下の実施の形態により本発明が限定されるものではない。また、以下の説明において、各図は本発明の内容を理解でき得る程度に形状、大きさ、および位置関係を概略的に示してあるに過ぎず、従って、本発明は各図で例示された形状、大きさ、および位置関係のみに限定されるものではない。さらに、各図では、構成の明瞭化のため、断面におけるハッチングの一部が省略されている。
【００１７】
（実施の形態１）
以下、本発明の実施の形態１による自動分析装置１を図面と共に詳細に説明する。なお、本実施の形態において例示する自動分析装置１は、例えば被検者から採取した血液もしくは尿などの検体に関する免疫項目について測定するための分析装置であるが、本発明はこれに限定されず、例えば生化学に関する項目について分析するための自動分析装置など、種々の分析装置に本実施の形態を適用することが可能である。
【００１８】
図１は、本実施の形態による自動分析装置１の概略構成を示す図である。図１に示すように、自動分析装置１は、測定機構１００と、測定機構１００に接続された制御機構４００とを備える。測定機構１００は、検体と試薬とを反応させ、これにより生成された反応生成物の作用による発光基質の発光量を測定するための装置である。また、制御機構４００は、測定機構１００の制御や測定機構１００によって測定された結果の分析などを実行するための装置である。自動分析装置１は、これら２つの装置が連携することによって複数の検体の免疫学的な分析を自動的に行なう。
【００１９】
ここで、まず、測定機構１００について説明する。測定機構１００は、大別して、ＢＦ（Ｂｏｕｎｄ−Ｆｒｅｅ）処理槽１１０と、キュベット供給ユニット１２０と、検体供給ユニット１３０と、検体分注ユニット１４０と、第１キュベット移送ユニット１５０と、免疫反応槽１６０と、第１試薬分注ユニット１７０と、第１試薬保冷庫１８０と、第２試薬分注ユニット１９０と、第２試薬保冷庫２００と、第２キュベット移送ユニット２１０と、酵素反応槽２２０と、測光ユニット２３０と、キュベット廃棄ユニット２４０と、を備える。
【００２０】
ＢＦ処理槽１１０は、検体と試薬とを混合させた混合液から未反応の検体および／または試薬（以下、単に未反応物質という）を分離する所謂ＢＦ洗浄処理を行なうための槽である。このＢＦ処理槽１１０は、図示しない駆動機構によって中心１１２を軸として回動する回転テーブル１１１を有する。回転テーブル１１１は、外周内側に沿って複数のキュベットホルダ（不図示）が配列された第１反応ライン１１３と、第１反応ライン１１３の内側に沿って複数のキュベットホルダ（不図示）が配置された第２反応ライン１１４と、を含む。各キュベットホルダにはキュベットＣが適宜セットされる。したがって、回転テーブル１１１が中心１１２を軸として回動することで、目的のキュベットホルダまたはこれにセットされたキュベットＣが所定の位置（キュベット脱離位置１１３ａ、検体分注位置１１３ｂ、第１試薬分注位置１１３ｃ、第１キュベット入出位置１１３ｄ、第２キュベット入出位置１１４ａまたは第２試薬分注位置１１４ｂ）に配置される。なお、第１反応ライン１１３には、キュベットＣ内の混合液を攪拌するための不図示の攪拌部が設けられる。第２反応ライン１１４には、キュベットＣ内の混合液を攪拌するための不図示の攪拌部およびキュベットＣ内の混合液に対してＢＦ処理を実行するためのＢＦ処理部１１５が設けられる。ＢＦ処理部１１５は、後述する第１試薬に含まれる磁性粒子を集磁する集磁機構を含み、これを用いて反応物質を集磁し、ＢＦ洗浄ノズル（不図示）で未反応物質を吸引、ＢＦ洗浄液を吐出することにより反応物質と未反応物質とを分離するＢＦ処理を行なう。ＢＦ洗浄ノズルの吸引ノズルは、配管を介して真空ポンプ（不図示）および廃液タンク（不図示）と接続され、吐出ノズルは、配管を介して真空ポンプ（不図示）およびＢＦ洗浄液タンクと接続される。
【００２１】
キュベット供給ユニット１２０は、キュベットストック部１２４にストックされているキュベットＣをＢＦ処理槽１１０へ供給するための機構である。このキュベット供給ユニット１２０は、測定機構１００上面に対して突出入可能な枢軸１２１として機能する棒状部材（不図示）に一方の端が枢持されたアーム部１２２と、アーム部１２２の他方の端に設けられたキュベット保持部１２３と、を有する。アーム部１２２は、図示しない駆動機構によって棒状部材が回転することで枢軸１２１を中心として枢回し、不図示の駆動機構によって棒状部材が突出入することによって上下する。また、キュベット保持部１２３は、先端がキュベットＣの上部開口に嵌合することでこれを保持し、キュベットＣの上部開口端を押進することでこれを脱離させる。この構成を利用することで、キュベット供給ユニット１２０は、キュベットストック部１２４のキュベット嵌合１２５に配置されているキュベットＣをキュベット保持部１２３で保持し、また、保持したキュベットＣをキュベット脱離位置１１３ａに配置された回転テーブル１１１のキュベットホルダにセットする。
【００２２】
検体供給ユニット１３０は、分析対象の検体がそれぞれ入れられる１つ以上の検体容器１３４を保持可能な検体ラック１３３を１つ以上収容する検体収容部１３１と、検体ラック１３３が搬送される搬送レール１３２と、を有する。検体収容部１３１に収容された検体ラック１３３は、不図示の搬送機構によって搬送レール１３２の第１搬送経路１３５または第２搬送経路１３６上を搬送される。また、第１搬送経路１３５上を搬送される検体ラック１３３は、第１検体分取位置１３５ａに一旦停止し、適宜、自身が保持する検体容器１３４内の検体が後述の検体分注ユニット１４０によって分取される。同様に、第２搬送経路１３６上を搬送される検体ラック１３３は、第２検体分取位置１３６ａに一旦停止し、適宜、自身が保持する検体容器１３４内の検体が検体分注ユニット１４０によって分取される。なお、第１／第２搬送経路１３５／１３６上を搬送された検体ラック１３３は、不図示の搬送機構によって検体収容部１３１に戻されるか、あるいは、図示しない収容部に送られる。
【００２３】
検体分注ユニット１４０は、第１検体分取位置１３５ａまたは第２検体分取位置１３６ａにおいて分取した検体をＢＦ処理槽１１０における所定のキュベットＣ内へ分注するための機構である。この検体分注ユニット１４０は、測定機構１００上面に対して突出入可能な枢軸１４１として機能する棒状部材（不図示）に一方の端が枢持されたアーム部１４２と、アーム部１４２の他方の端に設けられた分注チップ保持部１４３と、を有する。アーム部１４２は、図示しない駆動機構によって棒状部材が回転することで枢軸１４１を中心として枢回し、不図示の駆動機構によって棒状部材が突出入することによって上下動する。また、分注チップ保持部１４３には、ディスポーザブルな分注チップ１４６が取り付けられると共に、不図示の吸引ポンプと連結されており、この吸引ポンプを駆動することで検体の吸引および吸引した検体の吐出が可能となっている。この構成を利用することで、検体分注ユニット１４０は、第１または第２検体分取位置１３５ａまたは１３６ａにおいて分取した検体を、ＢＦ処理槽１１０の検体分注位置１１３ｂに配置されたキュベットＣ内に分注する。なお、検体分注ユニット１４０は、検体を分注するたびに分注チップ廃棄位置１４７に設けられた穴内に分注チップ１４６を廃棄し、分注チップストック部１４４の分注チップ嵌合位置１４５において新たな分注チップ１４６を分注チップ保持部１４３に取り付ける。分注チップ廃棄位置１４７において廃棄された分注チップ１４６は、不図示のチップディスポーザに収容される。
【００２４】
第１キュベット移送ユニット１５０は、ＢＦ処理槽１１０と免疫反応槽１６０と後述する酵素反応槽２２０との間でキュベットＣを移送するための機構である。この第１キュベット移送ユニット１５０は、キュベット供給ユニット１２０と同様に、測定機構１００上面に対して突出入可能な枢軸１５１として機能する棒状部材（不図示）に一方の端が枢持されたアーム部１５２と、アーム部１５２の他方の端に設けられたキュベット保持部１５３と、を有する。この構成を利用することで、第１キュベット移送ユニット１５０は、目的のキュベットＣをＢＦ処理槽１１０の第１キュベット入出位置１１３ｄから取り出し、これを後述する免疫反応層１６０のキュベット入出位置１６３ａ、１６４ａおよび１６５ａのいずれかに配置されたキュベットホルダ（不図示）にセットする。また、第１キュベット移送ユニット１５０は、免疫反応槽１６０において処理されたキュベットＣをキュベット入出位置１６３ａ、１６４ａまたは１６５ａにおいて取り出し、これをＢＦ処理槽１１０の第２キュベット入出位置１１４ａに配置されたキュベットホルダ（不図示）にセットする。さらに、第１キュベット移送ユニット１５０は、ＢＦ処理槽１１０において処理されたキュベットＣを第２キュベット入出位置１１４ａから取り出し、これを酵素反応槽２２０のキュベット入出位置２２３ａに配置されたキュベットホルダ（不図示）にセットする。
【００２５】
免疫反応槽１６０は、キュベットＣ内に注入された検体に所定の前処理等をするため、または、検体と試薬との反応を促進するための機構である。この免疫反応槽１６０は、図示しない駆動機構によって中心１６２を軸として回動する回転テーブル１６１を有する。回転テーブル１６１は、最外周に位置し、前処理および前希釈用の外周ライン１６３と、外周ライン１６３よりも内側に位置し、検体と第１試薬である固相担体試薬との免疫反応を促進するための中周ライン１６４と、最内周に位置し、検体と第２試薬の一つである標識抗体との免疫反応を促進するための内周ライン１６５と、を含む。各ライン（１６３、１６４、１６５）には、複数のキュベットホルダ（不図示）が配列されており、これに適宜キュベットＣがセットされる。したがって、回転テーブル１６１が中心１６２を軸として回動することで、目的のキュベットホルダまたはこれにセットされたキュベットＣが所定のキュベット入出位置１６３ａ、１６４ａまたは１６５ａに配置される。なお、本発明は、外周ライン１６３と中周ライン１６４と内周ライン１６５との３重に限らず、適宜変更できることは言うまでもない。
【００２６】
第１試薬分注ユニット１７０は、後述の第１試薬保冷庫１８０において保管されている固相担体試薬（第１試薬）または第２試薬保冷庫２００において保管されている標識抗体が含まれる第２試薬（以下、これを標識試薬という）を分取し、これをＢＦ処理槽１１０における所定のキュベットＣ内へ分注するための機構である。この第１試薬分注ユニット１７０は、検体分注ユニット１４０と同様に、測定機構１００上面に対して突出入可能な枢軸１７１として機能する棒状部材（不図示）に一方の端が枢持されたアーム部１７２と、アーム部１７２の他方の端に設けられ、不図示の吸引ポンプと連結された第１試薬分注プローブ１７３と、を有する。この構成を利用することで、第１試薬分注ユニット１７０は、第１試薬分取位置１８３において第１試薬保冷庫１８０から固相担体試薬（第１試薬）を分取し、分取した固相担体試薬（第１試薬）を第１試薬分注位置１１３ｃにおいて目的のキュベットＣ内に分注する。また、第１試薬分注ユニット１７０は、第２試薬分取位置２０３ａにおいて第２試薬保冷庫２００から標識試薬（第２試薬）を分取し、分取した標識試薬（第２試薬）を第１試薬分注位置１１３ｃにおいて目的のキュベットＣ内に分注する。なお、第１試薬分注プローブ１７３は、ディスポーザブルでなくともよい。その代わり、第１試薬分注ユニット１７０は、第１試薬分注プローブ１７３を洗浄するための洗浄部１７４を備え、固相担体試薬（第１試薬）を分注するたびに、洗浄部１７４において第１試薬分注プローブ１７３を洗浄する。
【００２７】
第１試薬保冷庫１８０は、分析対象である検体内の抗原または抗体と特異的に結合する反応物質を固相した不溶性担体である磁性粒子を含む固相担体試薬（ＢＦ液とも言う）である第１試薬を温度管理の下で保管するための機構である。この第１試薬保冷庫１８０は、図示しない駆動機構によって中心１８２を中心として回動する回転テーブル１８１を有する。回転テーブル１８１には、外周内側に沿って複数の第１試薬容器１８４が配列される。したがって、回転テーブル１８１が中心１８２を軸として回動することで、目的の固相担体試薬（第１試薬）を蓄える第１試薬容器１８４が第１試薬分取位置１８３に配置される。なお、第１試薬保冷庫１８０には、不図示のバーコードリーダが設けられており、これを用いて第１試薬容器１８４の側面に貼り付けられているバーコードを読み取る。また、読み取った内容に基づいて、第１試薬保冷庫１８０が保管する固相担体試薬（第１試薬）が管理される。
【００２８】
第２試薬分注ユニット１９０は、後述する第２試薬保冷庫２００において保管されている第２試薬である基質液を分取し、これをＢＦ処理槽１１０における所定のキュベットＣ内へ分注するための機構である。この第２試薬分注ユニット１９０は、第１試薬分注ユニット１７０と同様に、測定機構１００上面に対して突出入可能な枢軸１９１として機能する棒状部材（不図示）に一方の端が枢持されたアーム部１９２と、アーム部１９２の他方の端に設けられ、不図示の吸引ポンプと連結された第２試薬分注プローブ１９３と、を有する。この構成を利用することで、第２試薬分注ユニット１９０は、第２試薬分取位置２０３ｂにおいて第２試薬保冷庫２００から基質液（第２試薬）を分取し、分取した基質液（第２試薬）を第２試薬分注位置１１４ｂにおいて目的のキュベットＣ内に分注する。なお、第２試薬分注プローブ１９３は、ディスポーザブルでなくともよい。その代わり、第２試薬分注ユニット１９０は、第２試薬分注プローブ１９３を洗浄するための洗浄部１９４を備え、基質液（第２試薬）を分注するたびに、洗浄部１９４において第２試薬分注プローブ１９３を洗浄する。
【００２９】
第２試薬保冷庫２００は、磁性粒子と結合した抗原または抗体と特異的に結合する標識抗体（例えば酵素）を含む標識試薬（第２試薬）と、基質を含む基質液（第２試薬）と、を温度管理の下で保管するための機構である。この第２試薬保冷庫２００は、第１試薬保冷庫１８０と同様に、図示しない駆動機構によって中心２０２を中心として回動する回転テーブル２０１を有する。回転テーブル２０１には、外周内側に沿って複数の第２試薬容器２０４が配列される。したがって、回転テーブル２０１が中心２０２を軸として回動することで、目的の第２試薬（標識試薬または基質液）が第２試薬分取位置２０３ａまたは２０３ｂに配置される。なお、第２試薬保冷庫２００には、不図示のバーコードリーダが設けられており、これを用いて第２試薬容器２０４の側面に貼り付けられているバーコードを読み取る。また、読み取った内容に基づいて、第２試薬保冷庫２００が保管する第２試薬（標識試薬または基質液）が管理される。
【００３０】
第２キュベット移送ユニット２１０は、後述する酵素反応槽２２０から測光ユニット２３０へキュベットＣを移送するための機構である。この第２キュベット移送ユニット２１０は、第１キュベット移送ユニット１５０と同様に、測定機構１００上面に対して突出入可能な枢軸２１１として機能する棒状部材（不図示）に一方の端が枢持されたアーム部２１２と、アーム部２１２の他方の端に設けられたキュベット保持部２１３と、を有する。この構成を利用することで、第２キュベット移送ユニット２１０は、目的のキュベットＣを酵素反応槽２２０のキュベット取出位置２２３ｂから取り出し、これを測光ユニット２３０のキュベット入出位置２３３に設けられたキュベットホルダ（不図示）にセットする。
【００３１】
酵素反応槽２２０は、キュベット内に注入された基質液（第２試薬）内の基質が発光可能な状態となる酵素反応を促進するための槽である。この酵素反応槽２２０は、免疫反応層１６０と同様に、図示しない駆動機構によって中心２２２を軸として回動する回転テーブル２２１を有する。回転テーブル２２１は、外周内側に沿って複数のキュベットホルダ（不図示）が配列された酵素反応ライン２２３を含む。各キュベットホルダにはキュベットＣが適宜セットされる。したがって、回転テーブル２２１が中心２２２を軸として回動することで、目的のキュベットホルダまたはこれにセットされたキュベットＣが所定の位置（キュベット入出位置２２３ａ、キュベット取出位置２２３ｂ）に配置される。
【００３２】
測光ユニット２３０は、例えばキュベットＣ内における化学反応により生じた微弱な光を計測するための機構である。この測光ユニット２３０は、キュベットＣ内の反応液から出力された光、もしくは、キュベットＣ内の反応液を透過した光を増幅された電気信号に変換するための光電子増倍管を含む受光部２３２を含む。また、測光ユニット２３０は、キュベットＣへ光を照射する光源部２３１を含んでもよい。測光ユニット２３０に設けられたキュベットホルダは、不図示の光学窓を１つ以上備え、この光学窓を介して光の入射および取り出しを行なうことが可能となっている。
【００３３】
キュベット廃棄ユニット２４０は、測定が終了した反応液（以下、廃液という）が入っているキュベットＣを廃棄するための機構である。このキュベット廃棄ユニット２４０は、第１キュベット移送ユニット１５０と同様に、測定機構１００上面に対して突出入可能な枢軸２４１として機能する棒状部材（不図示）に一方の端が枢持されたアーム部２４２と、アーム部２４２の他方の端に設けられたキュベット保持部２４３と、を有する。この構成を利用することで、キュベット廃棄ユニット２４０は、測定完了後のキュベットＣを測光ユニット２３０のキュベット入出位置２３３から取り出し、これをキュベット廃棄位置２４４に設けられた穴から測定機構１００内のディスポーザ（不図示）へ廃棄する。
【００３４】
制御機構４００は、制御部４０１、分析部４０２、入力部４０３、出力部４０４、記憶部４０５、および送受信部４０６を備える。測定機構１００および制御機構４００が備える上述した各部は、制御部４０１に電気的に接続されている。制御機構４００は、一または複数のコンピュータシステムを用いて実現され、測定機構１００に接続する。制御機構４００は、自動分析装置１の各処理にかかわる各種プログラムを用いて、測定機構１００の動作処理の制御を行なうとともに測定機構１００における測定結果の分析を行なう。
【００３５】
制御部４０１は、制御機能を有するＣＰＵ等を用いて構成され、自動分析装置１の各構成部位の処理および動作を制御する。制御部４０１は、これらの各構成部位に入出力される情報について所定の入出力制御を行ない、かつ、この情報に対して所定の情報処理を行なう。制御部４０１は、記憶部４０５が記憶するプログラムをメモリから読み出すことにより自動分析装置１の制御を実行する。また、制御部４０１は、後述する残量保持部５００に、試薬やディスポーザブルチップなどの消耗品の残量情報および廃棄チップや廃液などの廃棄物の残余量情報を、送受信部４０６を介して送信するよう制御する送信制御部４０９を備える。分析部４０２は、測定機構１００から取得した測定結果に基づいて検体に対する分析処理等を行なう。入力部４０３は、種々の情報を入力するためのキーボード、出力部４０４を構成するディスプレイの表示画面上における任意の位置を指定するためのマウス等を用いて構成され、検体の分析に必要な諸情報や分析動作の指示情報等を外部から取得する。なお、入力部４０３の情報入力は、タッチパネルによって実現するようにしてもよい。
【００３６】
出力部４０４は、プリンタ、スピーカー等を用いて構成され、制御部４０１の制御のもと、分析に関する諸情報を出力する。出力部４０４は、ディスプレイ等を用いて構成された表示部４０７を備え、表示部４０７はタッチパネルによって実現するようにしてもよい。記憶部４０５は、情報を磁気的に記憶するハードディスクと、自動分析装置１が処理を実行する際にその処理にかかわる各種プログラムをハードディスクからロードして電気的に記憶するメモリとを用いて構成され、検体の分析結果等を含む諸情報を記憶する。記憶部４０５は、ＣＤ−ＲＯＭ、ＤＶＤ−ＲＯＭ、ＰＣカード等の記憶媒体に記憶された情報を読み取ることができる補助記憶装置を備えてもよい。記憶部４０５は、試薬やディスポーザブルチップ等の消耗品残量情報、および廃液や使用済みチップ等の廃棄物残余量情報を記憶する残量記憶部４０８を備える。試薬の残量情報は、試薬分注プローブ１７３、１９３が備える液面検知手段を用いて試薬残量を検出するか、試薬の分注開始からの分注回数を記憶することにより残量を算出する。ディスポーザルチップおよびディスポーザルキュベットの残量情報は、分注チップストック部１４４への分注チップ１４６の補充時およびキュベットストック部１２４へのキュベットＣの補充時からの分析回数を記憶することにより算出する。Ｂ／Ｆ洗浄液の残量情報は、Ｂ／Ｆ洗浄液タンク内に液面検知センサを設置して残量を検出するか、Ｂ／Ｆ洗浄液タンク交換時からの分析回数を記憶することにより算出する。チップディスポーザおよびキュベットディスポーザの廃棄物の残余量は、ディスポーザ内の廃棄物排出後の分析回数を記憶することにより算出する。廃液タンクの残余量は、タンク内に液面検知センサを設置して残量を検出する。送受信部４０６は、図示しない通信ネットワークを介して所定の形式にしたがった情報の送受信を行なうインターフェースとしての機能を有する。また、上述したように、送受信部４０６は、送信制御部４０９の制御のもと、残量記憶部４０８に記憶される最新の消耗品残量情報および廃棄物残余量情報を残量保持部５００に送信する。
【００３７】
自動分析装置１は、測定機構１００および制御機構４００とは別体の残量保持部５００を備える。残量保持部５００は、制御機構４００と接続され、送信制御部４０９の制御の元、所定のタイミングで送受信部４０６を介して残量記憶部４０８に記憶される最新の消耗品残量情報および廃棄物残余量情報を受信し、記憶および／または出力して、消耗品残量情報および廃棄物残余量情報を保持する。消耗品残量情報および廃棄物残余量情報の送受信のタイミングは、自動分析装置１の電源が切られるシャットダウン時のほか、消耗品補充および廃棄物廃棄後等、ユーザが定める任意の時間であってよい。残量保持部５００がシャットダウン時に最新の消耗品残量情報および廃棄物残余量情報を受信し、記憶および／または出力することにより、分析再開後、自動分析装置１の立ち上げにかかる待機時間に、該出力情報に基づき消耗品補充および廃棄物廃棄を行なうことが可能となる。残量保持部５００は、印刷紙、ソーラーパネルまたはバッテリー電源を備えるＥＬ素子、電子ペーパー、音声録音などから構成され、自動分析装置１と別体であるため、自動分析装置１の立ち上げ時やシャットダウン時を含む自動分析装置１の電源オフ時にも消耗品残量情報および廃棄物残余量情報を記憶および／または出力することができる。ここで、印刷紙とは、消耗品残量情報および廃棄物残余量情報をプリントアウトされた紙を意味し、プリンタは、自動分析装置１の出力部４０４として選択されるプリンタと同一でもよい。印刷紙の紛失を防止して消耗品残量情報および廃棄物残余量情報を保持し続けるために、プリンタはプリントアウトされた印刷紙を保持するホルダーを備えるか、その他の印刷物と区別するために印刷物の搬送経路を他の印刷物と別にすることが好ましい。音声録音は、消耗品残量情報および廃棄物残余量情報を音声データとして記憶し、ユーザの出力指示に基づき記憶する音声データを音声出力する。
【００３８】
次に、図２〜図７を参照して、実施の形態１にかかる自動分析装置１による消耗品および廃棄物の管理について説明する。図２は、実施の形態１における残量保持部５００への消耗品残量情報および廃棄物残余量情報送信のフローチャート、図３は、実施の形態１における残量保持部５００の消耗品残量情報および廃棄物残余量情報出力のフローチャート、図４は、実施の形態１における第１試薬保冷庫１８０内の試薬残量についての記憶および／または出力情報の構成例を示す図、図５は、実施の形態１における第２試薬保冷庫２００内の試薬残量についての記憶および／または出力情報の構成例を示す図、図６は、実施の形態１におけるその他の消耗品残量についての記憶および／または出力情報の構成例を示す図、図７は、実施の形態１におけるその他の廃棄物残余量についての記憶および／または出力情報の構成例を示す図である。
【００３９】
図２に示すように、まず、送信制御部４０９は、残量保持部５００への消耗品残量情報および廃棄物残余量情報送信のタイミングか否かを確認する（ステップＳ１０１）。情報送信は、自動分析装置１のシャットダウン時や、ユーザが定める所定のタイミングで行なわれる。情報送信のタイミングである場合（ステップＳ１０１、Ｙｅｓ）、送信制御部４０９は、残量記憶部４０８が記憶する最新の消耗品残量情報および廃棄物残余量情報に時刻情報を付加し、送受信部４０６を介して該情報を残量保持部５００に送信するよう制御する（ステップＳ１０２）。消耗品残量情報および廃棄物残余量情報を受信した残量保持部５００は、消耗品残量情報および廃棄物残余量情報を記憶および／または出力して保持する（ステップＳ１０３）。残量保持部５００として、印刷紙、ＥＬ素子、電子ペーパーなどが選択される場合には、プリントアウトされた用紙、ディスプレイ表示または電子ペーパー表示が消耗品残量情報および廃棄物残余量情報の記憶および出力であって、印刷紙保管、ディスプレイ表示および電子ペーパー表示の維持により情報を保持する。
【００４０】
一方、残量保持部５００として音声録音が選択される場合は、音声録音が消耗品残量情報および廃棄物残余量情報の記憶であり（ステップＳ１０３）、情報の出力は、図３に示すように、消耗品残量情報および廃棄物残余量情報の出力指示があった場合に（ステップＳ２０１、Ｙｅｓ）、残量保持部５００が記憶保持する音声録音を音声出力する（ステップＳ２０２）。情報の出力指示は、自動分析装置１の立ち上げ時やユーザが指定するタイミングで行なわれる。上記したいずれの構成が残量保持部５００として選択された場合であっても、消耗品残量情報および廃棄物残余量情報を、自動分析装置１の稼動如何にかかわらずユーザが望むいかなるタイミングでも出力し、確認することが可能となる。
【００４１】
図４〜図６は、残量保持部５００が記憶および／または出力する消耗品残量情報の構成例である。試薬残量情報テーブル５０１、５０２は、第１試薬保管庫１８０および第２試薬保管庫２００内の試薬容器１８４、２０４の試薬残量情報であり、試薬保管庫毎に設置位置、分析項目、試薬容器ＩＤ、試薬のロットＮｏ、有効期限、試薬容器の容量に対する残量（％）に加えて、該試薬残量情報の記憶および／または出力時間が付加される。消耗品残量情報テーブル５０３には、試薬以外の他の消耗品について項目毎に残量が記憶される。ユーザは、残量保持部５００が出力した試薬残量情報テーブル５０１、５０２および消耗品残量情報テーブル５０３を参照して、試薬、ディスポーザブルチップ等の消耗品補充の必要性を判断する。一方、図７の廃棄物残余量情報テーブル５０４には、チップディスポーザ、キュベットディスポーザなど廃棄物の項目毎に廃棄物の廃棄可能数である残余量が記憶され、ユーザは残量保持部５００が出力した廃棄物残余量情報テーブル５０４を参照して廃棄物廃棄の必要性を判断する。なお、上記の試薬残量情報テーブル５０１、５０２、消耗品残量情報テーブル５０３および廃棄物残余量情報テーブル５０４はあくまで例示であって、残量保持部５００の構成によって記憶および／または出力される項目を変更するものとする。
【００４２】
（実施の形態２）
実施の形態２にかかる自動分析装置１Ａは、検査オーダーの残分析回数と、消耗品残分析回数および廃棄物残廃棄回数とを対比して差分値を算出することにより、消耗品補充および廃棄物廃棄の必要な項目を明示する点で実施の形態１にかかる自動分析装置と異なる。実施の形態２にかかる自動分析装置１Ａは、消耗品補充および廃棄物廃棄が必要な項目を明示するため、補充等の判断がより容易になる。
【００４３】
図８は、実施の形態２にかかる自動分析装置１Ａの構成を示す概略図である。自動分析装置１Ａにおいて、記憶部４０５ａは、残量記憶部４０８ａに加えて、検査オーダー記憶部４１４、データ記憶部４１５を備える。残量記憶部４０８ａは、消耗品残量情報を消耗品残分析回数、廃棄物残余量情報を廃棄物残廃棄回数として記憶する。検査オーダー記憶部４１４は、入力部４０３を介して受け付けた検査オーダーを記憶する。データ記憶部４１５は、過去に分析された分析項目毎の累積分析回数データを記憶する。また、実施の形態２にかかる自動分析装置１Ａは、算出部４１２と、予測部４１３とを有する判定部４１１を備える。算出部４１２は、検査オーダー記憶部４１４から分析項目毎に残分析回数を抽出し、残量記憶部４０８ａに記憶された消耗品残分析回数と廃棄物残廃棄回数との差分値を算出する。判定部４１１は、算出部４１２が算出した差分値に基づき消耗品補充および廃棄物廃棄が必要か否かを判定する。送信制御部４０９ａは、所定のタイミングで前記消耗品残量情報および前記廃棄物残余量情報に判定部４１１が判定した消耗品補充および廃棄物廃棄の必要性の有無を加えた該情報を、送受信部４０６を介して残量保持部５００ａに送信するよう制御する。
【００４４】
一方、分析終了後、自動分析装置１Ａのシャットダウン時の消耗品残量情報および廃棄物残余量情報は、次のようにして取得する。自動分析装置１Ａのシャットダウン時は、受け付けた検査オーダーについて分析は終了しているため、データ記憶部４１５に記憶された分析項目毎の累積分析回数データに基づき分析予定数を予測する。分析予定数の予測は予測部４１３が行なう。例えば、累積分析回数データを基に１日あたりの平均分析回数や、曜日ごとの平均分析回数を算出して分析予定数とする。算出部４１２は、予測部４１３が予測した分析予定数と、残量記憶部４０８ａに記憶された消耗品残分析回数と廃棄物残廃棄回数との差分値を算出する。判定部４１１は、前記差分値に基づき消耗品補充および廃棄物廃棄が必要か否かを判定する。判定部４１１による判定は、通常前記差分値がマイナスの場合（閾値０）、消耗品補充および廃棄物廃棄が必要と判定するが、予測部４１３による分析予定数はあくまで予測値であるため、閾値を補正して判定してもよい。
【００４５】
図９は、実施の形態２における残量保持部５００ａへの消耗品残量情報および廃棄物残余量情報送信のフローチャートである。まず、送信制御部４０９ａは、残量保持部５００ａへの消耗品残量情報および廃棄物残余量情報送信のタイミングか否かを確認する（ステップＳ３０１）。情報送信のタイミングである場合（ステップＳ３０１、Ｙｅｓ）、自動分析装置１Ａの電源オフが選択されているか確認する（ステップＳ３０２）。電源オフが選択されていない場合（ステップＳ３０２、Ｎｏ）、算出部４１２は、残量記憶部４０８ａから消耗品残分析回数および廃棄物残廃棄回数を抽出し（ステップＳ３０３）、抽出した消耗品残分析回数および廃棄物残廃棄回数と、検査オーダー記憶部４１４から抽出した分析項目毎の残分析回数（ステップＳ３０４）との差分値を算出する（ステップＳ３０７）。一方、電源オフが選択されている場合（ステップＳ３０２、Ｙｅｓ）、算出部４１２は、残量記憶部４０８ａから消耗品残分析回数および廃棄物残廃棄回数を抽出し（ステップＳ３０５）、抽出した消耗品残分析回数および廃棄物残廃棄回数と、予測部４１３がデータ記憶部４１５に記憶される累積分析回数データに基づき予測した分析予定数（ステップＳ３０６）との差分値を算出する（ステップＳ３０７）。
【００４６】
判定部４１１は、算出部４１２が算出した前記差分値に基づき消耗品補充および廃棄物廃棄が必要か否かを判定する（ステップＳ３０８）。送信制御部４０９ａは、残量記憶部４０８ａに記憶された前記消耗品残量情報および前記廃棄物残余量情報に、判定部４１１による消耗品補充および廃棄物廃棄の判定結果を付加した情報を、送受信部４０６を介して残量保持部５００ａに送信するよう制御する（ステップＳ３０９）。消耗品残量情報および廃棄物残余量情報を受信した残量保持部５００ａは、消耗品残量情報および廃棄物残余量情報を記憶および／または出力して保持する（ステップＳ３１０）。残量保持部５００ａによる消耗品残量情報および廃棄物残余量情報の出力は実施の形態１と同様である。
【００４７】
図１０〜図１２は、残量保持部５００ａが記憶および／または出力する消耗品残量情報の構成例である。試薬残量情報テーブル５０５、５０６は、第１試薬保管庫１８０および第２試薬保管庫２００内の試薬容器１８４、２０４の試薬残量情報であり、設置位置、分析項目、残分析回数のほか、予測部４１３または算出部４１２が予測または算出した分析予定数、および差分値が記憶され、判定部４１１により補充が必要と判定された項目の差分値の欄は、色付けにより明示されている。消耗品残量情報テーブル５０７には、試薬以外の他の消耗品について、項目毎に残分析回数と、分析予定数および差分値が記憶され、補充が必要と判定された項目の差分値の欄は色付けにより明示されている。ユーザは、試薬残量情報テーブル５０５、５０６および消耗品残量情報テーブル５０７の前記色付けにより、消耗品補充の必要性が容易に判断できる。一方、図１３の廃棄物残余量情報テーブル５０８には、チップディスポーザ、キュベットディスポーザなど廃棄物の項目毎に廃棄物の廃棄可能数である残廃棄回数と、予測部４１３または算出部４１２が予測または算出した分析予定数、および差分値が記憶され、判定部４１１により補充が必要と判定された項目の差分値の欄は、色付けにより明示されている。ユーザは、廃棄物残余量情報テーブル５０８の前記色付けにより、廃棄物廃棄の必要性が容易に判断できる。
【００４８】
また、実施の形態２の変形例として、算出部４１２が算出した前記差分値に基づき、判定部４１１は各項目について消耗品補充と廃棄物廃棄の優先順位をつけて判定し、送信制御部４０９ａは、判定部４１１が判定した優先順位の順番に各項目を並び替えた消耗品残量情報および廃棄物残余量情報を、送受信部４０６を介して送信するよう制御する自動分析装置が例示される。該変形例では、例えば、図１３に示す廃棄物残余量情報テーブル５０８は、判定部４１１により差分値に基づき優先順位がつけられ、図１４に示す廃棄物残余量情報テーブル５０９のように並び替えた消耗品残量情報および廃棄物残余量情報が残量保持部５００ａに送信される。差分値が最も小さなもの（キュベットディスポーザ、差分値−３００）が廃棄が最も必要なものである。優先順位の順番に各項目を並び替えた消耗品残量情報および廃棄物残余量情報が残量保持部５００ａに送信され、記憶および／または出力、保持されることにより、ユーザは該順番に消耗品補充または廃棄物廃棄を行なえばよく、消耗品補充または廃棄物廃棄がより簡易に行なえる。さらにまた、判定部４１１により消耗品補充および廃棄物廃棄が必要な項目のみを抽出して、該情報を消耗品残量情報および廃棄物残余量情報として残量保持部５００ａに送信してもよい。
【図面の簡単な説明】
【００４９】
【図１】本発明の実施の形態１にかかる自動分析装置の構成を示す概略図である。
【図２】実施の形態１における残量保持部への消耗品残量情報および廃棄物残余量情報送信のフローチャートである。
【図３】実施の形態１における残量保持部の消耗品残量情報および廃棄物残余量情報出力のフローチャートである。
【図４】実施の形態１における第１試薬保冷庫内の試薬残量についての記憶および／または出力情報の構成例を示す図である。
【図５】実施の形態１における第２試薬保冷庫内の試薬残量についての記憶および／または出力情報の構成例を示す図である。
【図６】実施の形態１におけるその他の消耗品残量についての記憶および／または出力情報の構成例を示す図である。
【図７】実施の形態１における廃棄物残余量についての記憶および／または出力情報の構成例を示す図である。
【図８】本発明の実施の形態２にかかる自動分析装置の構成を示す概略図である。
【図９】本発明の実施の形態２にかかる残量保持部への消耗品残量情報および廃棄物残余量情報送信のフローチャートである。
【図１０】実施の形態２における第１試薬保冷庫内の試薬残量についての記憶および／または出力情報の構成例を示す図である。
【図１１】実施の形態２における第２試薬保冷庫内の試薬残量についての記憶および／または出力情報の構成例を示す図である。
【図１２】実施の形態２におけるその他の消耗品残量についての記憶および／または出力情報の構成例を示す図である。
【図１３】実施の形態２における廃棄物の残廃棄回数についての記憶および／または出力情報の構成例を示す図である。
【図１４】実施の形態２の変形例における廃棄物の残廃棄回数についての記憶および／または出力情報の構成例を示す図である。
【符号の説明】
【００５０】
１、１Ａ  自動分析装置
１００  測定機構
１１０  ＢＦ処理槽
１２０  キュベット供給ユニット
１２４  キュベットストック部
１３０  検体供給ユニット
１４０  検体分注ユニット
１４４  分注チップストック部
１４７  分注チップ廃棄位置
１５０  第１キュベット移送ユニット
１６０  免疫反応槽
１７０  第１試薬分注ユニット
１８０  第１試薬保冷庫
１９０  第２試薬分注ユニット
２００  第２試薬保冷庫
２１０  第２キュベット移送ユニット
２２０  酵素反応槽
２３０  測光ユニット
２４０  キュベット廃棄ユニット
２４４  キュベット廃棄位置
Ｃ      キュベット
４００、４００ａ  制御機構
４０１、４０１ａ  制御部
４０２  分析部
４０３  入力部
４０４  出力部
４０５  記憶部
４０６  送受信部
４０７  表示部
４０８、４０８ａ  残量記憶部
４０９、４０９ａ  送信制御部
４１１  判定部
４１２  算出部
４１３  予測部
４１４  検査オーダー記憶部
４１５  データ記憶部
５００、５００ａ  残量保持部
５０１、５０２、５０５、５０６  試薬残量情報テーブル
５０３、５０７  消耗品残量情報テーブル
５０４、５０８  廃棄物残余量情報テーブル
【図１】
2010151672.tif 000003
【図２】
2010151672.tif 000004
【図３】
2010151672.tif 000005
【図４】
2010151672.tif 000006
【図５】
2010151672.tif 000007
【図６】
2010151672.tif 000008
【図７】
2010151672.tif 000009
【図８】
2010151672.tif 000010
【図９】
2010151672.tif 000011
【図１０】
2010151672.tif 000012
【図１１】
2010151672.tif 000013
【図１２】
2010151672.tif 000014
【図１３】
2010151672.tif 000015
【図１４】
2010151672.tif 000016